(57)【要約】【課題】主として天井糸と水中糸とを連結する釣り用の連結具であって、連結具に掛止した糸が外れにくい釣り用の連結具を提供する。【解決手段】釣り用連結具５は、環状部１４とフック部１８とを有する本体部１０と、繊維体を編んで形成した筒状部材であるリリアンにより形成された筒状部２０とを有し、筒状部２０の上端が樹脂により形成された固着部３０により本体部１０に固着されている。環状部１４に天井糸を結ぶとともに、フック部１８に水中糸を掛止して使用するが、筒状部２０を伸ばした状態では、フック部１８が被覆されるので、フック部１８に掛止された水中糸を外れにくくすることができる。【選択図】図１
0003130545.tif 000002
【実用新案登録請求の範囲】
【請求項１】
釣りに用いる第１の糸と第２の糸とを連結する釣り用連結具であって、
上端に第１の糸を結ぶための環状部を有するとともに、下端に第２の糸を掛止するためのフック部を有する本体部と、
該本体部における環状部を露出しつつ本体部における環状部以外の構成の周囲を被覆するように本体部に取り付けられた筒状部で、繊維体を編んで形成した筒状部材であるリリアンにより形成された筒状部と、
を有し、
筒状部を伸ばした状態では、フック部を被覆するように構成されていることを特徴とする釣り用連結具。
【請求項２】
上記本体部が１本の棒状部材により形成され、上記環状部から下方に連設されるとともに、上記フック部の上端から上方に連設された棒状部を有することを特徴とする請求項１に記載の釣り用連結具。
【請求項３】
上記本体部が、上記フック部とフック部の上端から上方に連設された棒状部とを有する下側構成部と、柱状部とを有し、上記環状部は、柱状部の上部に回転可能に軸支され、下側構成部の棒状部が、柱状部の下部に回転可能に軸支されていることを特徴とする請求項１に記載の釣り用連結具。
【請求項４】
筒状部の上端が樹脂により本体部に固着されることにより、筒状部が本体部に固着されていることを特徴とする請求項１又は２又は３に記載の釣り用連結具。
【考案の詳細な説明】
【技術分野】
【０００１】
本考案は、魚釣り用の連結具に関するものであり、特に、天井糸（空中糸としてもよい）と水中糸とを連結する連結具に関するものである。
【背景技術】
【０００２】
従来より、天井糸と水中糸とを連結する連結具として、図９に示す構成のものが存在する。図９に示す連結具２０５は、環状部２１０と、パイプ状部２２０と、筒状部２３０と、固着部２４０、２５０と、フック部２６０とを有していて、環状部２１０は、環状を呈する金属製部材であり、この環状部２１０の下側に筒状部２３０の上端が固着部２４０により固着されている。この筒状部２３０は、リリアン、すなわち、繊維体を編んで形成した筒状部材により形成されている。固着部２４０は、樹脂（例えば、エポキシ樹脂）により構成されている。また、パイプ状部２２０は、管状を呈する部材であり、このパイプ状部２２０は、筒状部２３０の下端と固着部２５０により固着されている。また、フック部２６０は、直線状の棒状を呈する棒状部２６２と、棒状部２６２の下端から連設されたフック部本体２６４とから構成され、フック部本体２６４は、フック形状を呈している。棒状部２６２は、パイプ状部２２０に挿通され、棒状部２６２の上側部分は、パイプ状部２２０の上端から露出して筒状部２３０内に臨み、棒状部２６２の上端は、パイプ状部２２０から抜けないように構成されている。
【０００３】
図９の示す構成の連結具２０５の使用に際しては、環状部２１０に天井糸を結ぶとともに、フック部２６０に水中糸を掛止して使用する。
【０００４】
なお、出願人は、先行技術文献の調査は行っておらず、記載すべき先行技術文献は存在しない。
【考案の開示】
【考案が解決しようとする課題】
【０００５】
しかし、図９に示す構成の連結具においては、フック部２６０のフック部本体２６４が常に露出しているので、フック部本体２６４に掛止した水中糸が外れやすいという問題があった。
【０００６】
そこで、本考案は、主として天井糸と水中糸とを連結する釣り用の連結具であって、連結具に掛止した糸が外れにくい釣り用の連結具を提供することを目的とするものである。
【課題を解決するための手段】
【０００７】
本考案は上記問題点を解決するために創作されたものであって、第１には、釣りに用いる第１の糸と第２の糸とを連結する釣り用連結具であって、上端に第１の糸を結ぶための環状部を有するとともに、下端に第２の糸を掛止するためのフック部を有する本体部と、該本体部における環状部を露出しつつ本体部における環状部以外の構成の周囲を被覆するように本体部に取り付けられた筒状部で、繊維体を編んで形成した筒状部材であるリリアンにより形成された筒状部と、を有し、筒状部を伸ばした状態では、フック部を被覆するように構成されていることを特徴とする。
【０００８】
この第１の構成の釣り用連結具においては、本体部の上端に設けられた環状部に第１の糸（例えば、天井糸）を結び、本体部の下端に設けられたフック部に第２の糸（水中糸）を掛止させて第１の糸と第２の糸とを連結する。つまり、第２の糸を連結するに当たっては、筒状部の下端を上方にスライドさせて筒状部を縮めた状態としてフック部を露出させた後に、第２の糸をフック部に掛止させる。第２の糸をフック部に掛止させた後には、筒状部の下端を下方にスライドさせて筒状部を伸ばした状態としてフック部を筒状部により被覆する。これにより、筒状部にフック部を被覆した状態で釣りを行うことができるので、フック部に掛止した第２の糸を外れにくくすることができる。また、筒状部が繊維体を編んで形成した筒状部材であるリリアンにより形成されているので、筒状部を縮めた状態と伸ばした状態との間を容易に変更することができる。
【０００９】
また、第２には、上記第１の構成において、上記本体部が１本の棒状部材により形成され、上記環状部から下方に連設されるとともに、上記フック部の上端から上方に連設された棒状部を有することを特徴とする。
【００１０】
また、第３には、上記第１の構成において、上記本体部が、上記フック部とフック部の上端から上方に連設された棒状部とを有する下側構成部と、柱状部とを有し、上記環状部は、柱状部の上部に回転可能に軸支され、下側構成部の棒状部が、柱状部の下部に回転可能に軸支されていることを特徴とする請求項１に記載の釣り用連結具。
【００１１】
また、第４には、上記第１から第３までのいずれかの構成において、筒状部の上端が樹脂により本体部に固着されることにより、筒状部が本体部に固着されていることを特徴とする。
【考案の効果】
【００１２】
本考案に基づく釣り用連結具によれば、筒状部にフック部を被覆した状態で釣りを行うことができるので、フック部に掛止した第２の糸を外れにくくすることができる。また、筒状部が繊維体を編んで形成した筒状部材であるリリアンにより形成されているので、筒状部を縮めた状態と伸ばした状態との間を容易に変更することができる。
【考案を実施するための最良の形態】
【００１３】
本考案においては、連結具に掛止した糸が外れにくい釣り用の連結具を提供するという目的を以下のようにして実現した。
【実施例１】
【００１４】
本考案に基づく釣り用連結具５は、図１〜図３に示されるように構成され、本体部１０と、筒状部２０とを有している。
【００１５】
ここで、本体部１０は、１本の金属製の棒状部材を折曲して形成したものであり、略Ｕ字状部１２と、環状部１４と、棒状部１６と、フック部１８とを有している。
【００１６】
この略Ｕ字状部１２は、棒状部材の端部を略Ｕ字状に折り返した形状を呈している。また、環状部１４は、略Ｕ字状部１２の上端から連設され、環状に形成されている。この環状部１４は、正面視において、略Ｕ字状部１２の上端から反時計回りに環状に湾曲する形状を呈している。また、棒状部１６は、環状部１４の下端から直線状に下方に伸びた略円柱状の棒状形状を呈している。また、フック部１８は、棒状部材の他方の端部を折り返し状に形成してフック形状を呈している。
【００１７】
また、筒状部２０は、筒状部本体２２と、環状部２４とを有している。この筒状部本体２２は、繊維体（具体的には、ポリエステル製の繊維体）を編んで形成した筒状部材により形成され、具体的には、リリアンにより形成されている。また、環状部２４は、筒状部本体２２の下端に設けられ、環状を呈している。この環状部２４は、樹脂（例えば、エポキシ樹脂）により形成されていて、軟性の樹脂を硬化剤により固化させることにより形成されている。この環状部２４は、リリアンにより形成された筒状部本体２２の下端の形状を整えるために設けられている。つまり、筒状部本体２２は、リリアンにより形成されているので、筒状部本体２２の下端をそのまま露出させると、筒状部本体２２の下端の繊維体がほどけてしまうおそれがあるため、環状部２４により筒状部本体２２の下端の形状を固定しているのである。
【００１８】
また、筒状部２０は、固着部３０により本体部１０に固着されている。この固着部３０は、略Ｕ字状部１２の位置、すなわち、環状部１４よりも下側の位置に設けられていて、樹脂（例えば、エポキシ樹脂）により形成されている。つまり、本体部１０を筒状部２０内に挿通した状態で、筒状部２０の上端を環状部１４の下端位置、すなわち、略Ｕ字状部１２の位置に配置して、軟性の樹脂を筒状部２０の上端と略Ｕ字状部１２とを包むように樹脂を塗布し、硬化剤により固化させる。このようにすることにより、筒状部２０の上端領域の外側の面と略Ｕ字状部１２の周囲に固着部３０が設けられ、筒状部２０の上端が本体部１０に固着されるとともに、筒状部本体２２の上端の繊維体がほどけるのを防止している。
【００１９】
なお、筒状部２０の長さＳ１（図３参照）は、本体部１０の環状部１４の下端から本体部１０の下端（すなわち、フック部１８の下端）までの長さＳ２よりも長く形成されていて、図２に示すように、筒状部２０によりフック部１８が被覆されるように形成されている。つまり、筒状部２０の下端を上方に持ち上げて筒状部２０の長さを縮めた場合には、図１に示すように、フック部１８は、筒状部２０から露出するが、筒状部２０を伸ばした状態では、フック部１８は筒状部２０に被覆される。なお、筒状部２０を伸ばした状態とは、筒状部２０に対して外部から引っ張り力を与えることなく最大長の状態となっている場合である。
【００２０】
上記構成の釣り用連結具５の使用状態について説明する。釣り用連結具５は、主として、図４に示すように、釣り竿側に設けられる天井糸（空中糸としてもよい）４０（第１の糸）と針側に設けられる水中糸５０（第２の糸）とを連結するために用いられ、まず、天井糸４０を環状部１４に結ぶとともに、先端を輪状に結んだ水中糸５０をフック部１８に掛止させる。なお、水中糸５０の掛止に当たっては、筒状部２０の下端を上方に（すなわち、環状部１４側に）持ち上げ、スライドさせて、筒状部２０を縮めた状態とし、フック部１８を露出させた状態とした上で水中糸５０をフック部１８に掛止させる。
【００２１】
そして、筒状部２０の下端を下方に引き下げてスライドさせてもとの状態に戻して、図５に示すように、フック部１８が筒状部２０により被覆された状態とする。このように筒状部２０を伸ばした状態とすることにより、筒状部２０によりフック部１８が被覆された状態となる。以上のように、フック部１８が筒状部２０により被覆された状態で釣りを行う。
【００２２】
本実施例の釣り用連結具５によれば、フック部１８が筒状部２０により被覆された状態にできるので、フック部１８に掛止した水中糸を外れにくくすることができる。
【００２３】
なお、筒状部本体２２は、リリアンにより形成されているので、伸縮性を有し、図１のように筒状部２０を縮めた状態と、図２のように筒状部２０を伸ばした状態との間を容易に変更することができる。
【実施例２】
【００２４】
次に、実施例２の釣り用連結具について説明する。実施例２の釣り用連結具１０５は、図６〜図８に示されるように構成され、本体部１１０と、筒状部１２０とを有している。
【００２５】
ここで、本体部１１０は、柱状部１１２と、環状部１１４と、下側構成部１１５とを有し、各部は金属製となっている。
【００２６】
この柱状部１１２は、略円柱状を呈し、環状部１１４の下端の軸部を回転自在に支持する穴部と、下側構成部１１５の上端を回転自在に支持する穴部とを有している。
【００２７】
また、環状部１１４は、環状を呈し、その下端には、軸部が固定されている。この環状部１１４は、柱状部１１２に対して回転可能に軸支されている。
【００２８】
また、下側構成部１１５は、棒状部１１６と、フック部１１８とを有し、棒状部１１６は、直線状の伸びた略円柱状の棒状形状を呈している。また、フック部１１８は、棒状部１１６の下端から連設され、棒状部材の端部を折り返し状に形成してフック形状に形成されている。なお、下側構成部１１５は、全体に一体に形成されている。この下側構成部１１５における棒状部１１６の上端は、柱状部１１２に対して回転可能に軸支されている。
【００２９】
また、筒状部１２０は、実施例１における筒状部２０と同様の構成となっている。すなわち、筒状部１２０は、筒状部本体１２２と、環状部１２４とを有していて、筒状部本体１２２は、繊維体を編んで形成した筒状部材により形成され、具体的には、リリアンにより形成されている。また、環状部１２４は、筒状部本体１２２の下端に設けられ、環状を呈している。この環状部１２４は、樹脂（例えば、エポキシ樹脂）により形成されていて、軟性の樹脂を硬化剤により固化させることにより形成されている。この環状部１２４は、リリアンにより形成された筒状部本体１２２の下端の形状を整えるために設けられている。
【００３０】
また、筒状部１２０は、固着部１３０により本体部１１０に固着されている。この固着部１３０は、棒状部１１６の上側の位置に設けられていて、樹脂（例えば、エポキシ樹脂）により形成されている。つまり、本体部１１０を筒状部１２０内に挿通した状態で、筒状部１２０の上端を棒状部１１６の上側の位置、すなわち、柱状部１１２の下端よりもやや下方の位置に配置して、軟性の樹脂を筒状部１２０の上端と棒状部１１６とを包むように樹脂を塗布し、硬化剤により固化させる。このようにすることにより、筒状部１２０の上端領域の外側の面と棒状部１１６の周囲に固着部１３０が設けられ、筒状部１２０の上端が棒状部１１６の上側位置に固着されるとともに、筒状部本体１２２の上端の繊維体がほどけるのを防止している。
【００３１】
なお、筒状部１２０の長さＳ３（図８参照）は、本体部１１０の柱状部１１２の下端から本体部１１０の下端（すなわち、フック部１１８の下端）までの長さＳ４よりも長く形成されていて、図７に示すように、筒状部１２０によりフック部１１８が被覆されるように形成されている。つまり、筒状部１２０の下端を上方に持ち上げて筒状部１２０の長さを縮めた場合には、図６に示すように、フック部１１８は、筒状部１２０から露出するが、筒状部１２０を伸ばした状態では、フック部１１８は筒状部１２０に被覆される。なお、筒状部１２０を伸ばした状態とは、筒状部１２０に対して外部から引っ張り力を与えることなく最大長の状態となっている場合である。
【００３２】
なお、下側構成部１１５は、柱状部１１２に対して回転するが、筒状部１２０は、下側構成部１１５の棒状部１１６に固着されているので、下側構成部１１５を柱状部１１２に対して回転させると、筒状部１２０も同時に回転することになる。
【００３３】
上記構成の釣り用連結具１０５の使用状態について説明する。釣り用連結具１０５は、上記実施例１の釣り用連結具５と同様に、釣り竿側に設けられる天井糸と針側に設けられる水中糸とを連結するために用いられる。
【００３４】
すなわち、天井糸を環状部１１４に結ぶとともに、先端を輪状に結んだ水中糸をフック部１１８に掛止させる。なお、水中糸の掛止に当たっては、筒状部１２０の下端を上方に（すなわち、環状部１１４側に）持ち上げ、スライドさせて、筒状部１２０を縮めた状態とし、フック部１１８を露出させた状態とした上で水中糸をフック部１１８に掛止させる。
【００３５】
そして、筒状部１２０の下端を下方に引き下げてスライドさせてもとの状態に戻して、フック部１１８が筒状部１２０により被覆された状態とする。このように筒状部１２０を伸ばした状態とすることにより、筒状部１２０によりフック部１１８が被覆された状態となる。以上のように、フック部１１８が筒状部１２０により被覆された状態で釣りを行う。
【００３６】
本実施例の釣り用連結具１０５によれば、フック部１１８が筒状部１２０により被覆された状態にできるので、フック部１１８に掛止した水中糸を外れにくくすることができる。
【００３７】
なお、筒状部本体１２２は、リリアンにより形成されているので、伸縮性を有し、図６のように筒状部１２０を縮めた状態と、図７のように筒状部１２０を伸ばした状態との間を容易に変更することができる。
【００３８】
なお、上記実施例２の説明においては、固着部１３０は、棒状部１１６に設けられているものとして説明したが、固着部１３０を柱状部１１２に形成して、筒状部１２０の上端を柱状部１１２に固定するようにしてもよい。つまり、筒状部１２０の上端を柱状部１１２の周りに配置させ、筒状部１２０の上端と柱状部１１２の側面とを包み込むように固着部を設けて、筒状部１２０を柱状部１１２の周囲に固着させるのである。
【００３９】
このように構成することにより、筒状部１２０は、柱状部１１２に固着されるので、下側構成部１１５を柱状部１１２に対して回転させても、筒状部１２０は回転しないことになる。
【図面の簡単な説明】
【００４０】
【図１】本発明の実施例１に基づく釣り用連結具の構成を示す正面図であり、筒状部を縮めてフック部を露出させた状態を示す正面図である。
【図２】本発明の実施例１に基づく釣り用連結具の構成を示す正面図であり、筒状部を伸ばしてフック部を被覆した状態を示す正面図である。
【図３】本発明の実施例１に基づく釣り用連結具の分解図である。
【図４】本発明の実施例１に基づく釣り用連結具の使用状態を示す説明図である。
【図５】本発明の実施例１に基づく釣り用連結具の使用状態を示す説明図である。
【図６】本発明の実施例２に基づく釣り用連結具の構成を示す正面図であり、筒状部を縮めてフック部を露出させた状態を示す正面図である。
【図７】本発明の実施例２に基づく釣り用連結具の構成を示す正面図であり、筒状部を伸ばしてフック部を被覆した状態を示す正面図である。
【図８】本発明の実施例２に基づく釣り用連結具の分解図である。
【図９】従来における釣り用連結具の構成を示す正面図である。
【符号の説明】
【００４１】
５、１０５  釣り用連結具
１０、１１０  本体部
１２  略Ｕ字状部
１４、１１４  環状部
１６、１１６  棒状部
１８、１１８  フック部
２０、１２０  筒状部
２２、１２２  筒状部本体
２４、１２４  環状部
３０、１３０  固着部
４０  天井糸
５０  水中糸
１１５  下側構成部
【図１】
0003130545.tif 000003
【図２】
0003130545.tif 000004
【図３】
0003130545.tif 000005
【図４】
0003130545.tif 000006
【図５】
0003130545.tif 000007
【図６】
0003130545.tif 000008
【図７】
0003130545.tif 000009
【図８】
0003130545.tif 000010
【図９】
0003130545.tif 000011